(57)【特許請求の範囲】
【請求項１】
複数の無線端末装置と、該複数の無線端末装置と無線による通話路を確立する複数の無線基地局と、会議接続指定ボタン及び前記複数の無線端末装置の各々に対応する無線端末ボタンを有する制御端末装置と、前記複数の無線基地局と前記制御端末装置とを接続している交換装置とを具備している無線端末装置を用いた会議通話システムであって、
前記交換装置は、
通話路スイッチと、
公衆網と通信を行う局線制御手段及び会議制御手段と、
前記複数の無線端末装置を前記会議制御手段を用いて、会議通話を設定する手段と、
前記局線制御手段への着信を前記制御端末装置に表示させる手段と、
前記制御端末装置が前記着信に応答し、前記局線制御手段への着信呼を前記制御端末装置に接続している状態において、前記会議接続指定ボタンの押下を検出したとき、前記局線制御手段への着信呼を前記会議制御手段に接続するように前記通話路スイッチを制御する手段と、
前記無線端末装置が前記複数の無線基地局のいずれかの無線基地局と通話路を確立しているかを監視する手段と、
前記無線端末ボタンに対応させて前記複数の無線端末装置の通信状態によって、少なくとも会議通話中、呼出し圏外の何れかを示す表示制御を前記無線端末ボタンに対応する表示部のそれぞれに行う表示制御手段と、
を備えたことを特徴とする会議通話システム。
【発明の詳細な説明】
【０００１】
【発明の属する技術分野】
本発明は、電話交換装置における無線端末装置を用いた会議通話システムに関する。
【０００２】
【従来の技術】
従来、通常の有線接続の通信端末装置を用いて会議通話を行う場合、呼出者（会議招集者）が、予め、会議通話参加者が使用する通信端末装置の情報と、会議開始時刻とを主装置（電話交換装置）に登録しておき、主装置が会議開始時刻になったことを認識したときに、前記呼出者が使用する通信端末装置と前記会議通話参加者が使用する通信端末装置を呼び出し、これらが応答した際に、会議トランクに接続して会議通話を設定していた。
【０００３】
ところで、イベント会場などで会議通話を行う場合においては、会議通話参加者が使用する通信端末装置として無線端末装置が要求される。このような、無線端末装置を用いた会議通話システムの場合には、無線端末装置が、通常、会議通話接続されているため、一般の発信、着信を行うためには、一旦、会議通話を抜ける必要があるため、操作に手間を要していた。
【０００４】
なお、会議通話接続に関連する技術としては、特開平３−２５６４３７号公報、特開平４−２８７５５７号公報、特開平６−３０１３７号公報、特開平６−１０４９９１号公報、及び特開平６−２３７３０２号公報などが挙げられる。
【０００５】
【発明が解決しようとする課題】
前記従来技術においては、無線端末装置を用いた会議通話システムにおいて、無線端末装置が会議通話接続されている場合に、一旦、会議通話接続を抜けてから局線への発信、着信操作を行う必要があり、局線への発信、局線からの着信応答の操作に手間を要するという問題があった。
【０００６】
また、無線端末装置が通常の通話から会議通話に戻るときは、該無線端末装置から会議通話接続の要求操作を行わなければ、再度会議通話に入ることができなかった。
【０００７】
本発明は上記問題点に鑑みてなされたものであり、無線端末装置が会議通話状態のとき、局線などからの着信に該無線端末装置が容易に応答できる無線端末装置を用いた会議通話システムを提供することを目的とする。
【０００８】
また、無線端末装置が会議通話状態のとき、無線端末装置が局線などへの発信を容易に行える無線端末装置を用いた会議通話システムを提供することを目的とする。
【０００９】
【課題を解決するための手段】
本発明は、複数の無線端末装置と、該複数の無線端末装置と無線による通話路を確立する複数の無線基地局と、会議接続指定ボタン及び前記複数の無線端末装置の各々に対応する無線端末ボタンを有する制御端末装置と、前記複数の無線基地局と前記制御端末装置とを接続している交換装置とを具備している無線端末装置を用いた会議通話システムであって、前記交換装置は、通話路スイッチと、公衆網と通信を行う局線制御手段及び会議制御手段と、前記複数の無線端末装置を前記会議制御手段を用いて、会議通話を設定する手段と、前記局線制御手段への着信を前記制御端末装置に表示させる手段と、前記制御端末装置が前記着信に応答し、前記局線制御手段への着信呼を前記制御端末装置に接続している状態において、前記会議接続指定ボタンの押下を検出したとき、前記局線制御手段への着信呼を前記会議制御手段に接続するように前記通話路スイッチを制御する手段と、前記無線端末装置が前記複数の無線基地局のいずれかの無線基地局と通話路を確立しているかを監視する手段と、前記無線端末ボタンに対応させて前記複数の無線端末装置の通信状態によって、少なくとも会議通話中、呼出し圏外の何れかを示す表示制御を前記無線端末ボタンに対応する表示部のそれぞれに行う表示制御手段とを備えたことを特徴とする。
【００１２】
【発明の実施の形態】
以下、本発明の実施の形態を、図面を参照して詳細に説明する。
【００１３】
図１は、本発明の会議通話システムを示すシステム構成図である。図１において、この会議通話システムは、交換装置１と、制御端末装置２と、複数の無線基地局３と、複数の無線端末装置４と備えている。
【００１４】
また、交換装置１は、タイムスイッチ１０と、ライン回路１１と、デジタル無線トランク１２と、局線トランク１３と、専用線トランク１４と、会議トランク１５と、中央制御装置１６と、主記憶装置１７と、トーントランク１８とを具備している。
【００１５】
タイムスイッチ１０は、ライン回路１１、デジタル無線トランク１２、局線トランク１３、専用線トランク１４、会議トランク１５、及びトーントランク１８を収容しており、これらの間を自在に呼接続するものである。ライン回路１１は、制御端末装置２を接続しており、この制御端末装置２を制御するものである。デジタル無線トランク１２は、無線基地局３を接続しており、無線基地局３に対して通話に関する制御を行うとともに、無線基地局３とタイムスイッチ１０とをインタフェースするものである。
【００１６】
また、局線トランク１３は、公衆網との接続に係るインタフェースを行うものであり、専用線トランク１４は、他のシステムとの接続に係るインタフェースを行うものである。会議トランク１５は、複数の端末装置からの呼を引き込み、それら複数の端末装置の間での会議通話接続を行うものであり、トーントランク１８は、保留音、ビジートーン、ダイヤルトーンなどの各種音源を発生するものである。
【００１７】
さらに、中央制御装置１６は、交換装置１の全体を制御する制御装置であり、タイムスイッチ１０、ライン回路１１、デジタル無線トランク１２、局線トランク１３、専用線トランク１４、及び会議トランク１５、及びトーントランク１８は、全てこの中央制御装置１６の制御の下で動作している。また、主記憶装置１７は、中央制御装置１６が制御動作するのに必要なプログラム、局データ、及びテーブルを格納しているものである。
【００１８】
無線基地局３は、無線端末装置４との間で所定の動作シーケンス（例えば、第二世代コードレス電話システム  標準規格「ＲＣＲ  ＳＴＤ−２８」による）に基づき通信制御を行うものであり、中央制御装置１６の制御下で、無線による通話路（リンク）の確立（位置登録を含む）などを行うための処理動作を行っている。
【００１９】
なお、図示はしていないが交換装置１には、交換装置１の電源をオン、オフする電源スイッチが設けられており、交換装置１は電源オンでオンライン状態になる。
【００２０】
図２は、無線端末装置の外観図である。図２において、無線端末装置４は、電源スイッチ４１と、「応答」ボタン４２と、「＃」ボタン４５を含むダイヤルボタン４３と、表示装置４４と、「保留」ボタン４６とを備えている。電源スイッチ４１は、無線端末装置１の電源をオン、オフするためのスイッチであり、「応答」ボタン４２は、着信に応答するためのボタンである。また、ダイヤルボタン４３は、電話番号を入力するめのボタンであり、表示装置４４は、通信に係る各種情報を表示するものである。なお、「＃」ボタン４５及び「保留」ボタン４６の機能等については後述する。
【００２１】
図３は、制御端末装置の盤面図である。図３において、制御端末装置２は、ハンドセット２１と、ダイヤルボタン２２と、プログラマブルボタン２３と、表示装置２４と、「保留」ボタン２５と、「フッキング（ＨＫ）」ボタン２６と、を備えている。ハンドセット２１は、通話に用いられる通常の送話器、受話器からなるものであり、ダイヤルボタン２２は、電話番号を入力するためのボタンである。また、プログラマブルボタン２３は、機能を予め登録しておくことにより、所望の機能を自在に提供するボタンであり、これは、無線端末装置４の各々に対応して設けられている「ＰＳ１」ないし「ＰＳ１２」ボタン２３１（以下、これらを総称して「ＰＳ」ボタンともいう）と、専用線に対応して設けられている「専用線」ボタン２３２と、会議グループに対応して設けられている「グループ１」ボタン２３３及び「グループ２」ボタン２３４（以下、これらを総称して「グループ」ボタンともいう）と、局線に対応して設けられている「局線」ボタン２３５と、「切替」ボタン２３６とが予め登録設定されている。なお、プログラマブルボタン２３の各々には、これに対応してＬＥＤが設けられており、各種状態を可視表示可能にしている。また、表示装置２４は、制御端末装置２の状態等の情報を表示するものであり、「保留」ボタン２５は通話中の回線を保留するときに用いられるボタンであり、「フッキング」ボタン２６はフッキング信号を送出するときに用いられるボタンである。
【００２２】
図４は、制御端末装置の構成を示すブロック図である。図４において、制御端末装置２は、ハンドセット２１と、ダイヤルボタン２２と、プログラマブルボタン２３と、このプログラマブルボタン２３の各々に対応するＬＥＤ２３ａと、表示装置２４と、「保留」ボタン２５と、「フッキング」ボタン２６と、制御装置２００と、通話回路２０１と、回線インタフェース回路２０２と、スピーカ２０３と、記憶装置２０４と、ボタンスキャン回路２０５と、ＬＥＤドライバ２０６と、ＬＣＤドライバ２０７とを備えている。
【００２３】
制御装置２００は、この制御端末装置２の全体を制御するものであり、通話回路２０１は、回線インタフェース装置２０２を介して交換装置１と通話信号を送受信し、これをハンドセット２１及び／若しくはスピーカ２０３に伝えるものである。回線インタフェース回路２０２は、交換装置１とのインタフェースを行うものであり、交換装置１と送受信される通話信号を通話回路２０１に伝え、また、交換装置１の中央制御装置１６と送受信される制御信号を制御装置２００に伝える制御を行う機能を有している。
【００２４】
また、記憶装置２０４は、制御装置１が制御動作を遂行するために必要なプログラム、データなどを格納しているものである。ボタンスキャン回路２０５は、ダイヤルボタン２２、プログラマブルボタン２３、「保留」ボタン２５、及び「フッキング」ボタン２６の押下を検出し、これを制御装置２００に通知するものである。ＬＥＤドライバ２０６は、制御装置２００からの要求に従いプログラマブルボタン２３の各々に対応して設けられているＬＥＤ２３ａの表示を駆動するものであり、ＬＣＤドライバ２０７は、同様に、制御装置２００からの文字表示の要求に従い表示装置２４を表示駆動するするものである。
【００２５】
なお、ダイヤルボタン２２、プログラマブルボタン２３、「保留」ボタン２５、及び「フッキング」ボタン２６が押下された場合には、制御装置２００がボタンスキャン回路２０５を介してこれを読み取り、この情報を回線インタフェース回路２０２を介して中央制御装置１６に通知する制御を行い。また、中央制御装置１６が回線インタフェース回路２０２にＬＥＤ表示制御に係る情報、若しくは表示装置２４への文字表示制御に係る情報を送信した場合には、制御装置２００が回線インタフェース回路２０２を介してこれを受信し、要求内容に応じてＬＥＤ２３ａの表示制御、若しくは表示装置２４の表示制御を行う。
【００２６】
図５は、制御端末装置のプログラマブルボタンに対応して設けられているＬＥＤの表示様態と、これに対応する状態の内容を示す図である。
【００２７】
図５において、（ａ）は「ＰＳ１」ないし「ＰＳ１２」ボタン２３１に対応して設けられているＬＥＤの表示様態と、このボタン（ＬＥＤ）に対応する無線端末装置４の状態を示している。ＬＥＤが「滅火」のときは会議通話なしの状態、「赤遅い点滅」のときは会議グループ１に所属しており、かつ、局線と通話中の状態、「緑遅い点滅」のときは会議グループ２に所属しており、かつ、局線と通話中の状態、「赤早い点滅」のときは会議グループ１に所属しており、かつ、当該無線端末装置呼出し中（会議接続なし）の状態、「緑早い点滅」のときは会議グループ２に所属しており、かつ、当該無線端末装置呼出し中（会議接続なし）の状態、「赤点火」のときは会議グループ１に所属しており、かつ、会議通話中の状態、及び、「緑点火」のときは会議グループ２に所属しており、かつ、会議通話中の状態を示している。
【００２８】
（ｂ）は「局線」ボタン２３５に対応して設けられているＬＥＤの表示様態と、このボタン（ＬＥＤ）に対応する局線の状態を示している。ＬＥＤが「滅火」のときは未使用の状態、「赤点火」のときは無線端末装置４で使用中の状態、「緑点火」のときは制御端末装置２でで使用中の状態、「緑遅い点滅」のときは保留中の状態、及び、「赤早い点滅」のときは局線着信中の状態を示している。
【００２９】
（ｃ）は「グループ１」ボタン２３３及び「グループ２」ボタン２３４に対応して設けられているＬＥＤの表示様態と、このボタン（ＬＥＤ）に対応する会議グループの状態を示している。ＬＥＤが「滅火」のときは制御端末装置２が会議グループ通話に未参加の状態、及び、「緑点火」のときは制御端末装置２が会議グループに通話参加している状態を示している。
【００３０】
（ｄ）は「切替」ボタン２３６に対応して設けられているＬＥＤの表示様態と、これに対応する状態の内容を示している。ＬＥＤが「滅火」のときは会議グループ分けなしの状態、及び、「緑点火」のときは会議グループ分けありの状態を示している。
【００３１】
（ｅ）は「専用線」ボタン２３２に対応して設けられているＬＥＤの表示様態と、このボタン（ＬＥＤ）に対応する専用線の状態を示している。ＬＥＤが「滅火」のときは会議通話なしの状態、「赤点火」のときは会議グループ１に所属しており、かつ、会議通話中の状態、及び、「緑点火」のときは会議グループ２に所属しており、かつ、会議通話中の状態を示している。
【００３２】
図６は、制御端末装置に設けられている表示装置の表示様態を示す図である。この表示装置２４には制御端末装置２の状態などが表示され、図６においては、制御端末装置２が会議グループ１で会議通話中であることを示している。
【００３３】
図７は、主記憶装置１７に格納されている局データである。図７において、（ａ）は無線端末装置及び専用線の会議通話所属状態を記憶する会議通話接続テーブルであり、各無線端末装置がどの会議グループに所属しているかを示すものである。会議通話接続テーブル７００は、無線端末装置番号及び専用線７０１に対応して会議グループ番号７０２が定められており、また、会議グループ番号７０２はグループ分けありの場合の情報領域７０３と、グループ分けなしの場合の情報領域７０４とを有している。
【００３４】
なお、図７（ａ）においては、グループ分けありの場合、無線端末装置ＰＳ１〜ＰＳ６及び専用線が会議グループ１に属しており、無線端末装置ＰＳ７〜ＰＳ１２が会議グループ２に属しており、また、無線端末装置ＰＳ１３〜ＰＳ１６は会議グループに属さないことを示している。また、グループ分けなしの場合、無線端末装置ＰＳ１〜ＰＳ１２及び専用線が会議グループ１に属しており、無線端末装置ＰＳ１３〜ＰＳ１６は会議グループに属さないことを示している。
【００３５】
また、図７（ｂ）は、会議グループ分けありのときの会議トランクの使用ポート割り付けと、会議グループ分けなしのときの会議トランクの使用ポート割り付けとを示す会議トランク割り付けテーブルである。会議トランク割り付けテーブル７５０において、会議グループ分けあり領域７５１は、会議グループ１領域７５４と会議グループ２領域７５５とを有しており、さらに、会議グループ分けなし領域７５２を有しており、これらの場合に応じて使用可能な会議トランクの使用ポート番号７５３が設定されている。
【００３６】
なお、図７（ｂ）においては、グループ分けありの場合、会議グループ１の使用ポートがＰ０〜Ｐ７、会議グループ２の使用ポートがＰ８〜Ｐ１５であることを示し、また、グループ分けなしの場合、会議グループの使用ポートがＰ０〜Ｐ１５であることを示している。
【００３７】
図８は、主記憶装置１７に格納されているテーブルであって、無線基地局３の各チャネル毎に割り付けられる収容位置番号と、この収容位置番号に対して設定登録される無線端末装置番号とを対応させる無線端末装置接続テーブルである。
【００３８】
図８において、この無線端末装置接続テーブル８００は、無線基地局８０１の各々の装置番号８０２が有する各々のチャネル番号８０３に対して収容位置番号８０４が定められている。また、無線基地局８０１の各々が無線機端末装置４のいずれかとリンクが確立したときにチャネル割り付けを行い、論理的に無線端末装置４を収容位置番号８０４に対応させ、これを設定登録する無線端末装置番号領域８０５が設けられている。
【００３９】
図９は、主記憶装置１７に格納されているテーブルであって、会議トランクに接続されており、会議通話をしている無線端末装置が、会議トランクのどのポートを使用しているのかを記憶しておく会議トランク使用状態テーブルである。この会議トランク使用状態テーブル９００は、無線端末装置番号９０１に対して、使用中の会議トランクのポート番号が格納されるポート番号領域９０２が設けられている。なお、このテーブルに基づいて、会議トランクの使用状態を認識し、会議通話接続の規制を行う。
【００４０】
図１０は、主記憶装置１７に格納されているテーブルであって、無線端末装置の状態を示す端末状態テーブルである。この端末状態テーブル１０００は、無線端末装置番号１００１に対して、その接続状態を示す状態情報を格納する接続状態領域１００２が設けられている。なお、接続状態領域１００２には、「会議通話中」、「未接続」、「局線通話中」、若しくは「会議設定なし」のいずれかを示す情報が格納される。
【００４１】
図１１は、主記憶装置１７に格納されているテーブルであって、制御端末装置の状態を示す制御端末状態テーブルである。この制御端末状態テーブル１１００は、通話状態１１０１と、フック状態１１０２との各々に対して、その状態を示す通話状態情報を格納する通話状態領域１００３と、フック状態情報を格納するフック状態領域１１０４とが設けられている。なお、通話状態領域１１０３には、「空」、「着信中」、「通話中」、若しくは「保留中」のいずれかを示す情報が格納され、また、フック状態領域１１０４には、「オンフック」、若しくは「オフフック」のいずれかを示す情報が格納される。
【００４２】
図１２は、主記憶装置１７に格納されているテーブルであって、制御端末装置の接続先を格納する制御端末接続先テーブルである。図１２において、この制御端末接続先テーブル１２００には、制御端末装置２が通話中のときに、接続相手の情報が格納される。なお、この制御端末接続先テーブル１２００には、「会議トランクポートＰ０」〜「会議トランクポートＰ１５」、若しくは「局線トランク」のいずれかを示す情報が格納される。
【００４３】
図１３は、主記憶装置１７に格納されているテーブルであって、局線トランクが収容している局線の状態を示す局線状態テーブルである。この局線状態テーブル１３００には、その状態に応じて、「空」、「着信中」、「通話中」、若しくは「保留中」のいずれかを示す情報が格納される。
【００４４】
図１４は、主記憶装置１７に格納されているテーブルであって、局線トランク（局線回線）の接続先を格納する局線接続先テーブルである。図１４において、この局線接続先テーブル１４００には、局線が通話中のときに、接続相手の情報が格納される。なお、この局線接続先テーブル１４００には、「会議トランクポートＰ０」〜「会議トランクポートＰ１５」、「制御端末装置」、「無線端末装置Ｐ１」〜「無線端末装置Ｐ１６」、若しくは「トーントランク（保留音、ビジー音）」のいずれかを示す情報が格納される。
【００４５】
図１５は、主記憶装置１７に格納されているテーブルであって、制御端末装置のプログラマブルボタンの機能を設定登録するプログラマブルボタン機能テーブルである。図１５において、このプログラマブルボタン機能テーブル１５００は、プログラマブルボタン番号１５０１に対応して機能設定内容領域１５０２が設けられている。なお、図１５においては、ボタン番号０〜１１が無線端末装置４の各々に対応する「ＰＳ」ボタン（ＰＳ１〜１２）、ボタン番号１５が「切替」ボタン、ボタン番号１６が専用線に対応する「専用線」ボタン、ボタン番号２０及び２１が会議グループの各々に対応する「グループ１」ボタン及び「グループ２」ボタン、並びに、ボタン番号２３が局線に対応する「局線」ボタンであることを示している。これにより、制御端末装置２からプログラマブルボタンの押下情報を受信したとき、設定してある機能に応じた処理を行うものである。
【００４６】
図１６は、主記憶装置１７に格納されているテーブルであって、会議通話がグループ分けされているか否かの状態を示す会議状態テーブルである。図１６において、この会議状態テーブル１６００には、その状態に応じて、「グループ分けなし」、若しくは「グループ分けあり」のいずれかを示す情報が格納される。
【００４７】
なお、以上のテーブルのうち、図７（ａ）の会議通話接続テーブル７００、（ｂ）の会議トランク割り付けテーブル７５０、図１５のプログラマブルボタン機能テーブル１５００、及び図１６の会議状態テーブル１６００は、主記憶装置１７のプロテクト領域に設けられているため、電源をオフにした状態においてもその内容が保持されるように構成している。
【００４８】
次に、本発明の動作を説明する。
【００４９】
図１７及び図１８は本発明における会議通話システムの動作の概要を示す接続シーケンス図であり、また、図１９ないし図２２は、交換装置の中央制御装置の会議通話処理を示すフローチャートであって、これは、図１７及び図１８に示す接続シーケンス図を遂行するために行うものある。
【００５０】
以下、会議通話接続動作を説明する。図１７において、交換装置１の電源スイッチをオンすると（Ｓ１７０１）、図１９に示す処理が行われる。即ち、まず、初期処理を行う（Ｓ１９０１）。これを具体的に説明すると、図８に示す無線端末装置接続テーブル８００、図９に示す会議トランク使用状態テーブル９００、図１０に示す端末状態テーブル１０００、図１１に示す制御端末状態テーブル１１００、図１２に示す制御端末接続先テーブル１２００、図１３に示す局線状態テーブル１３００、及び図１４に示す局線接続先テーブルを各々クリアする。なお、図１０の端末状態テーブル１０００のクリアにおいては、無線端末装置番号ＰＳ１〜ＰＳ１２に対応する接続状態領域１００２を「未接続」と設定し、無線端末装置番号ＰＳ１３〜ＰＳ１６に対応する接続状態領域１００２を「会議設定なし」と設定する。なお、「会議設定なし」の設定する無線端末装置は、図７の（ａ）に示す予め設定されている局データ（会議通話接続テーブル７００）により抽出される。
【００５１】
このように、初期処理を実行した後、オンライン処理を行う（Ｓ１９０２）。このオンライン処理は、図２０に示す呼出しルーチン、図２１に示す会議接続ルーチン、及び図２１に示す切断処理ルーチン等を含んでおり、これらのルーチンを周期的（例えば、１００〜２０００ｍｓ周期）に実行するものである。
【００５２】
図１７に戻って、次に、中央制御装置１６は、会議通話対象の全無線端末装置４に対して呼出信号を送出するように、無線基地局３に対して呼び出しの要求を行う（Ｓ１７０２）。この処理は、図２０に示す、周期的に起動される呼出しルーチンが実行されることによって行われるものである。
【００５３】
図２０において、まず、図１０に示す端末状態テーブル１０００の接続状態領域１００２を参照して接続状態を認識し（Ｓ２００１）、次に、その接続状態が「未接続」にある無線端末装置があるか判別し（Ｓ２００２）、「未接続」の無線端末装置なしの場合は処理を終了する。
【００５４】
ところで、図１７のステップＳ１７０２の状態はオンラインが開始直後であるため、会議通話対象の無線端末装置は全て「未接続」であり、全ての無線端末装置（例えば、無線端末装置ＰＳ１〜ＰＳ１２）が呼び出し対象の無線端末装置となる。次に、中央制御装置１６は、呼び出し対象の無線端末装置を全て呼び出すために、「未接続」の無線端末装置を抽出し（Ｓ２００３）、デジタル無線トランク１２を介して全ての無線基地局３に対し、呼び出し対象の無線端末装置を呼び出すように要求する（Ｓ２００４）。次に、他に「未接続」状態にある無線端末装置があるか判別し（Ｓ２００５）、ありの場合は、ステップ２００３に戻り、「未接続」無線端末装置を呼び出すように全ての無線基地局３に対して要求する。これによって、接続状態領域１００２が「未接続」に設定されている全ての無線端末装置を呼び出すために呼出し処理を継続的に行う。なお、このオンライン開始直後の無線端末装置呼出し状態を図２４に示す。
【００５５】
図１７に戻って、一方、各々の無線端末装置４は、電源がオンされると所定のシーケンスにより現在位置するエリアの無線基地局３とリンクを確立し、これに伴い、交換装置１の無線端末装置接続テーブル８００のいずれかの無線無線端末装置番号領域８０５に当該無線端末装置４の番号が設定される（Ｓ１７０３）。ここで、全ての無線基地局３はステップＳ１７０２により、全ての無線端末装置４を呼出す呼出し信号を送信する。
【００５６】
すると、リンクが確立した直後（既にリンクが確立されている場合は、中央制御装置から呼び出し要求を受けた直後）に、無線端末装置４は、呼出信号を受信した着信を検出して呼び出し音を送出する（Ｓ１７０４）。次に、無線端末装置４の所有者が応答ボタン４２を押下する手動応答か、若しくは、無線端末装置４の自動応答により（Ｓ１７０５）、リンクが確立している無線基地局３に対して応答信号を送信する（Ｓ１７０６）。一方、中央制御装置１６は、無線基地局３及びデジタル無線トランク１２を介して、その応答信号を検出し（Ｓ１７０７）、応答信号を送出した無線端末装置４を会議トランク１５の空ポートに接続し、該無線端末装置４と会議トランク１５との間に呼を設定する（Ｓ１７０８）。なお、このステップＳ１７０７及びステップＳ１７０８の処理は、図２１に示す、周期的に起動される会議接続ルーチンが実行されることによって行われるものである。
【００５７】
図２１において、まず、無線端末装置４の呼び出しに対する応答状態を認識し（Ｓ２１０１）、応答があるかを判別する（Ｓ２１０２）。この判別の結果、応答なしの場合は処理を終了する。一方、応答ありの場合は応答してきた無線端末装置を認識した後、図７（ａ）に示す会議通話接続テーブル７００と図７（ｂ）に示す会議トランク割り付けテーブル７５０とに基づいて、この無線端末装置が所属する会議グループ及び接続可能な会議トランク１５のポートを認識する。この後、図９に示す会議トランク使用状態テーブル９００に基づいて、会議トランク１５に接続可能な空ポートがあるか判別する（Ｓ２１０３）。
【００５８】
ステップＳ２１０３の判別の結果、空ポートなしの場合は応答を無効にする無効処理を実行し（Ｓ２１０４）、処理を終了する。一方、空ポートありの場合は、空ポートの一つを捕捉し、捕捉した空ポートと応答した無線端末装置４との間に呼を設定するように、タイムスイッチ１０、デジタル無線トランク１２、及び無線基地局３を制御する（Ｓ２１０５）。また、この後、図９に示す会議トランク使用状態テーブル９００の応答した無線端末装置に対するポート番号領域９０２に、接続した会議トランク１５のポート番号を格納すると共に、図１０に示す端末状態テーブル１０００の該応答した無線端末装置番号１００１に対する接続状態領域１００２を「会議通話中」に設定し（Ｓ２１０６）、処理を終了する。
【００５９】
図１７に戻って、これらの処理を、全ての無線端末装置各々に対して行い、無線基地局３からの呼出信号に対して応答信号を返送してきた無線端末装置を、会議トランク１５の空ポートに接続する。これによって、会議通話接続対象である複数の無線端末装置が会議通話状態になる（Ｓ１７０９）。
【００６０】
ところで、前記した呼び出し処理を行っても応答信号を返信してこない無線端末装置がある場合、即ち、無線端末装置が全ての無線基地局３のエリアに属さない場所に位置している場合、無線基地局とリンクを確立することができず交換装置１の呼び出しを認識できないため、次のように処理される。
【００６１】
交換装置１からの呼び出しに応答しない場合、図１０に示す端末状態テーブル１０００の該呼び出しに応答しない無線端末装置番号１００１に対する接続状態領域１００２が「未接続」に設定されている。このような状態で、前記したように周期的に起動される呼出しルーチン（図２０）が実行されると、ステップＳ２００１及びステップＳ２００２において、端末状態テーブル１０００の接続状態領域１００２を参照して、接続状態が「未接続」の無線端末装置ありと判別し、この後、ステップＳ２００３により「未接続」状態の無線端末装置を呼出すように、デジタル無線トランク１２を介して全ての無線基地局３に対して要求する。
【００６２】
この状態を図２４ないし図２６により説明すると、図２４に示すように、システムがオンライン状態になり、交換装置１が全ての無線基地局３に対して会議通話対象の無線端末装置を呼び出すように要求する。これに対し、いずれかの無線基地局３のエリアに属している無線端末装置は無線基地局とリンクを確立して呼び出しに応答し、会議通話状態となる。このとき、無線基地局３のエリアに属していない無線端末装置（図２４においては、無線端末装置（ＰＳ３））は、呼び出しを認識することができない。すると、図２５に示すように、無線端末装置（ＰＳ３）を呼び出すように継続的に要求する。
【００６３】
この後、図２６に示すように、無線端末装置（ＰＳ３）がいずれかの無線基地局３のエリアに入り、無線基地局３とリンクを確立すると、図８の無線端末装置接続テーブル８００のいずれかの無線端末装置番号領域８０５に当該無線端末装置（ＰＳ３）の番号が設定され、その後、周期的に起動される会議接続ルーチン（図２１）によって、会議通話接続される。
【００６４】
即ち、ステップＳ２１０１及びＳ２１０２により応答を検出し、ステップＳ２１０３により会議トランクの空ポートありと判断すると、ステップＳ２１０５により会議トランク１５の空ポートと応答した無線端末装置（ＰＳ３）との間に呼を設定する。次に、ステップＳ２１０６により、図９に示す会議トランク使用状態テーブル９００の応答した無線端末装置（ＰＳ３）に対するポート番号領域９０２に、接続した会議トランク１５のポート番号を格納すると共に、図１０に示す端末状態テーブル１０００の応答した無線端末装置（ＰＳ３）に対する接続状態領域１００２を「会議通話中」に設定する。
【００６５】
以上によって、無線基地局３のエリアに属さない場所に位置していた無線端末装置が、無線基地局３のエリアに属したとき会議通話接続される。
【００６６】
次に、会議通話中の無線端末装置が全ての無線基地局３のエリアに属さない場所に移動したときの動作を説明する。
【００６７】
図２７に示すように、会議通話中の無線端末装置（ＰＳ４）が無線基地局３のエリアに属さない場所に移動すると、無線基地局３とのリンクが解放され、これに伴い該無線基地局３は切断信号を中央制御装置１６に送信する。一方、中央制御装置１６は、図２２に示す、周期的に起動される切断処理ルーチンが実行されることによって前記切断信号を検出し、呼の切断処理を行う。
【００６８】
図２２において、無線基地局３からの切断信号の受信状況を認識し（Ｓ２２０１）、無線基地局３から切断信号が送信されたかを判別し（Ｓ２２０２）、送信なしの場合は処理を終了する。一方、切断信号ありを認識した場合は、その切断信号を解読して、呼を切断する無線端末装置（図２７においては、無線端末装置（ＰＳ４））を特定する（Ｓ２２０３）。
【００６９】
次に、会議トランクと該無線端末装置（ＰＳ４）との間の呼を切断するように、タイムスイッチ１０、デジタル無線トランク１２、及び無線基地局３を制御し（Ｓ２２０４）、その後、図９に示す会議トランク使用状態テーブル９００の該切断した無線端末装置（ＰＳ４）に対するポート番号領域９０２と、図８の無線端末装置接続テーブル８００の無線端末装置番号領域８０５に格納されている無線端末装置（ＰＳ４）の番号とをクリアすると共に、図１０に示す端末状態テーブル１０００の該切断した無線端末装置（ＰＳ４）に対する接続状態領域１００２を「未接続」に設定し（Ｓ２２０５）、処理を終了する。
【００７０】
以上のように、会議通話に係る呼が切断され、図１０に示す端末状態テーブル１０００の切断した無線端末装置（ＰＳ４）に対する接続状態領域１００２が「未接続」に設定されると、前記したように、図２０に示す呼出しルーチンが起動されたときに、「未接続」に設定されている無線端末装置（ＰＳ４）が抽出され、図２８に示すように無線端末装置（ＰＳ４）を呼出すように、デジタル無線トランク１２を介して全ての無線基地局３に対して要求する。
【００７１】
次に、図２９に示すように、無線端末装置（ＰＳ４）が無線基地局３のエリアに属する場所に移動したときの動作を、図１８の接続シーケンス図を参照して説明する。
【００７２】
無線端末装置（ＰＳ４）が無線基地局３のエリアに属する場所に移動すると（Ｓ１８０２）、所定のシーケンスにより現在位置するエリアの無線基地局３とリンクを確立する。ここで、全ての無線基地局３は図２０の呼出しルーチンのステップＳ２００４により、継続的に、無線端末装置（ＰＳ４）を呼び出すように要求されているため、継続的に、無線端末装置（ＰＳ４）に対し呼出信号を送信する（Ｓ１８０３）。
【００７３】
一方、リンクが確立した無線端末装置（ＰＳ４）は、呼出信号を受信して着信を検出して呼び出し音を送出する（Ｓ１８０４）。次に、無線端末装置４の所有者が応答ボタン４２を押下する手動応答か、若しくは、無線端末装置４の自動応答により（Ｓ１８０５）、応答信号をリンクが確立している無線基地局３に送信する（Ｓ１８０６）。一方、中央制御装置１６は、無線基地局３及びデジタル無線トランク１２を介して、その応答信号を検出し（Ｓ１８０７）、応答信号を送出した無線端末装置（ＰＳ４）を会議トランク１５の空ポートに接続し、該無線端末装置（ＰＳ４）と会議トランク１５との間に呼を設定する（Ｓ１８０８）。なお、このステップＳ１８０７及びステップＳ１８０８の処理は、図２１に示す、周期的に起動される会議接続ルーチンが実行されることによって行われる。
【００７４】
以上によって、無線基地局３のエリア外に位置していた無線端末装置が無線基地局３のエリアに属する場所に移動したとき、即、会議通話接続が行われる。
【００７５】
次に、制御端末装置からのボタン情報を受信する処理動作について説明する。図３２は、中央制御装置１６の処理ルーチンであって、制御端末装置からのボタン情報を受信する制御端末ボタン情報受信処理ルーチンである。このルーチンは、図１９に示す会議通話処理フローチャートにおけるステップ１９０２のオンライン処理のよって、周期的に起動されるものである。
【００７６】
図３２において、制御端末装置２からボタン情報を受信すると、これがフックスイッチの情報か判別する（Ｓ３２０１）。フックスイッチの情報である場合は、これがオフフックの情報か判別し（Ｓ３２０２）、オフフックの情報である場合は、図１１に示す制御端末状態テーブル１１００のフック状態領域１１０４にオフフック情報を設定し（Ｓ３２０３）、オフフック情報でない場合は、フック状態領域１１０４にオンフック情報を設定する（Ｓ３２０４）。
【００７７】
ステップＳ３２０１でフックスイッチでないと判断すると、受信したボタンがダイヤルボタンか判断し（Ｓ３２０５）、ダイヤルボタンである場合は、ダイヤル受信処理を実行し（Ｓ３２０６）、ダイヤルボタンでない場合は、プログラマブルボタンか、「保留」ボタンか、若しくは「フッキング」ボタンであると判断してボタン種別を識別する（Ｓ３２０７）。なお、これは、図１５に示すプログラマブルボタン機能テーブル１５００を参照して行われる。この識別の結果、受信したボタンの種別に応じて、図３３に示す「ＰＳ（無線端末装置）」ボタン受信処理（Ｓ３２０８）、図３４に示す「グループ」ボタン受信処理（Ｓ３２０９）、図３５に示す「局線」ボタン受信処理（Ｓ３２１０）、図３６に示す「保留」ボタン受信処理（Ｓ３２１１）、図３７に示す「フッキング（ＨＫ）」ボタン受信処理（Ｓ３２１２）、若しくは、図３８に示す「専用線」ボタン受信処理（Ｓ３２１３）を実行する。
【００７８】
次に、無線端末装置からボタン情報を受信する処理動作について説明する。
【００７９】
図３９は、中央制御装置１６の処理ルーチンであって、無線端末装置からのボタン情報を受信する無線端末ボタン情報受信処理ルーチンである。このルーチンは、図１９に示す会議通話処理フローチャートにおけるステップ１９０２のオンライン処理によって、周期的に起動されるものである。
【００８０】
図３９において、無線端末装置４からのボタン情報を、無線基地局３、デジタル無線トランク１２を介して受信すると、これが応答信号（応答ボタン）の情報か判別する（Ｓ３９０１）。応答信号の情報である場合は、図１０の端末状態テーブル１０００により当該無線端末装置に対する会議接続呼出し中か判別し（Ｓ３９０２）、呼出し中である場合は、図２１に示す会議接続ルーチンを実行し（Ｓ３９０３）、呼出し中でなければ、受信したボタン情報を無効にする（Ｓ３９０４）。
【００８１】
ステップＳ３９０１で応答信号でないと判断すると、受信したボタンがダイヤルボタンか判断し（Ｓ３９０５）、ダイヤルボタンである場合は、図４２に示すダイヤル受信処理を実行し（Ｓ３９０６）、ダイヤルボタンでない場合は、そのボタン種別を識別する（Ｓ３９０７）。この識別の結果、受信したボタンの種別に応じて図４０に示す「保留」ボタン受信処理（Ｓ３９０８）、若しくは、図４１に示す「＃」ボタン受信処理（Ｓ３９０９）が行われる。
【００８２】
次に、会議グループの統合・分離について説明する。
【００８３】
図３０は会議グループの統合・分離の概要を説明する図であり、図２３は会議グループの統合・分離を行う際の中央制御装置の処理フローチャートである。
【００８４】
まず、扱い者が制御端末装置２の「フッキング」ボタン２６を押下すると、中央制御装置１６は、図３２の制御端末ボタン情報受信ルーチンによって、ステップＳ３２０１、Ｓ３２０５を経てステップＳ３２０７でボタン種別を識別し、ステップＳ３２１２の「フッキング」ボタン受信処理が行われる。以下、これを図３７のフローチャートに従い説明する。
【００８５】
フッキング信号を受信すると、図１１の制御端末状態テーブル１１００の通話状態領域１１０３を参照し、制御端末装置２が「空」状態か判別し（Ｓ３７０１）、「空」であれば制御端末装置２が「オンフック」状態か判断する（Ｓ３７０２）。次に、判断の結果「オンフック」状態であるときは、次に押下されるボタンの受信を待つ（Ｓ３７０３）。次に、「切替」ボタン２６の押下に対する「切替」ボタン情報を受信したか判断し（Ｓ３７０４）、受信した場合は、会議グループ通話設定処理を行う（Ｓ３７０５）。なお、この会議グループ通話設定処理については、図２３の会議グループの統合・分離の処理フローチャートにより説明する。
【００８６】
また、ステップＳ３７０１で制御端末装置２が「空」状態でないと判断した場合、ステップＳ３７０２で制御端末装置２が「オンフック」状態でないと判断した場合、及びステップＳ３７０４で「切替」ボタン情報を受信しなかった場合には、「フッキング」ボタンの押下を無効にする（Ｓ３７０６）。
【００８７】
図２３において、ライン回路１１を介して制御端末装置２から会議グループ切り替え要求（図３０の（１））を認識すると（Ｓ２３０１）、図１６の会議状態テーブル１６００により、現在、一つの会議グループで会議通話しているかを判別し（Ｓ２３０２）、一つの会議グループで会議通話しているのであれば、図７（ｂ）の会議トランク割り付けテーブルで予め定められているように、複数の会議グループに分離する要求がなされたものと認識し、会議通話を複数の会議グループに分離する（Ｓ２３０４）。即ち、図７（ｂ）の会議トランク割り付けテーブルを参照し（図３０の（２））、会議グループ１のポート群と会議グループ２のポート群とを認識して、これらの設定のように会議グループを分離するように会議トランク１５を制御する（図３０の（３））。なお、このとき、図１６の会議状態テーブル１６００に「グループ分けあり」を示す情報を設定する。
【００８８】
一方、ステップＳ２３０２において、複数の会議グループで会議通話していることを認識すると、図７（ｂ）の会議トランク割り付けテーブルで予め定められているように、一つの会議グループに統合する要求がなされたものと認識し、会議通話を一つの会議グループに統合する（Ｓ２３０３）。即ち同様に、図７（ｂ）の会議トランク割り付けテーブルを参照し（図３０の（２））、会議グループのポート群とを認識して、これらの設定のように会議グループを統合するように会議トランク１５を制御する（図３０の（３））。なお、このとき、図１６の会議状態テーブル１６００に「グループ分けなし」を示す情報を設定する。
【００８９】
以上にように、制御端末装置からの要求に基づき、会議グループの統合・分離処理が行われる。
【００９０】
次に、図７（ａ）に示す会議通話接続テーブル７００の設定方法について説明する。この設定は、制御端末装置２が「空」であり、かつ、「オンフック」である状態のときに、図３に示す無線端末装置４の各々に対応して設けられている「ＰＳ１」ないし「ＰＳ１２」ボタン２３１を押下することによって行われる。
【００９１】
扱い者が、例えば「ＰＳ１」ボタンを押下すると、中央制御装置１６は、図３２の制御端末ボタン情報受信ルーチンによって、ステップＳ３２０１、Ｓ３２０５を経てステップＳ３２０７でボタン種別を識別し、ステップＳ３２０８の「ＰＳ」ボタン受信処理が行われる。以下、これを図３３のフローチャートに従い説明する。
【００９２】
「ＰＳ１」ボタン信号を受信すると、図１１の制御端末状態テーブル１１００の通話状態領域１１０３を参照し、制御端末装置２が「空」状態か判別し（Ｓ３３０１）、「空」であれば制御端末装置２が「オンフック」状態か判断する（Ｓ３３０２）。次に、判断の結果「オンフック」状態であるときは、その「ＰＳ１」に対応する無線端末装置（ＰＳ１）のテーブルを設定するＰＳグループ選択処理を行う（Ｓ３３０３）。以下、ＰＳグループ選択処理を図４３のフローチャートによって説明する。
【００９３】
図４３において、まず、図１６の会議状態テーブル１６００により、現在の状態が会議グループ分けありかどうか認識する（Ｓ４３０１）。すなわち、これにより、会議グループ分けなしを認識したときは、会議通話接続テーブル７００のグループ分けなしの場合の情報領域７０４に対する情報設定となり、会議グループ分けありを認識したときは、会議通話接続テーブル７００のグループ分けありの情報領域７０３に対する情報設定となる。
【００９４】
ステップＳ４３０１でグループ分けなしを認識した場合、次に、会議通話接続テーブル７００の無線端末装置（ＰＳ１）に対応する、グループ分けなしの場合の情報領域７０４に格納されている情報を読み出し、現在の設定内容を認識する（Ｓ４３０２）。このステップＳ４３０２の認識の結果、情報領域７０４に会議通話参加を示す情報「１」が設定されている場合は、該会議通話接続テーブル７００の無線端末装置（ＰＳ１）に対応する、グループ分けなしの場合の情報領域７０４に、会議通話不参加を示す情報「０」を設定し（Ｓ４３０３）、会議通話不参加状態にする（ＳＴ４３１）。一方、ステップＳ４３０２の認識の結果、情報領域７０４に会議通話不参加を示す情報「０」が設定されている場合は、該会議通話接続テーブル７００の無線端末装置（ＰＳ１）に対応する、グループ分けなしの場合の情報領域７０４に、会議通話参加を示す情報「１」を設定し（Ｓ４３０４）、会議通話参加状態にする（ＳＴ４３２）。
【００９５】
また、ステップＳ４３０１でグループ分けありを認識した場合、会議通話接続テーブル７００の無線端末装置（ＰＳ１）に対応する、グループ分けありの場合の情報領域７０３に格納されている情報を読み出し、現在の設定内容を認識する（Ｓ４３０５）。このステップＳ４３０５の認識の結果、情報領域７０３に会議グループ１に通話参加を示す情報「１」が設定されている場合は、該会議通話接続テーブル７００の無線端末装置（ＰＳ１）に対応する、グループ分けありの場合の情報領域７０３に、会議グループ２に通話参加を示す情報「２」を設定し（Ｓ４３０６）、会議通話グループ２に対する参加状態にする（ＳＴ４３３）。
【００９６】
一方、ステップＳ４３０５の認識の結果、情報領域７０３に会議グループ２に通話参加を示す情報「２」が設定されている場合は、該会議通話接続テーブル７００の無線端末装置（ＰＳ１）に対応する、グループ分けありの場合の情報領域７０３に、会議通話不参加を示す情報「０」を設定し（Ｓ４３０７）、会議通話不参加状態にする（ＳＴ４３４）。
【００９７】
また、ステップＳ４３０５の認識の結果、情報領域７０３に会議通話不参加を示す情報「０」が設定されている場合は、該会議通話接続テーブル７００の無線端末装置（ＰＳ１）に対応する、グループ分けありの場合の情報領域７０３に、会議グループ１に通話参加を示す情報「１」を設定し（Ｓ４３０８）、会議グループ１に対する通話参加状態にする（ＳＴ４３５）。
【００９８】
これによって、グループ分けなしの場合は「ＰＳ１」ボタンが押下される毎に、参加状態「１」−不参加状態「０」−参加状態「１」・・が繰り返し設定され、また、グループ分けありの場合は「ＰＳ１」ボタンが押下される毎に、会議グループ１参加状態「１」−会議グループ２参加状態「２」−不参加状態「０」−会議グループ１参加状態「１」・・が繰り返し設定され、希望の状態に設定することができる。
【００９９】
なお、以上の処理は、全ての「ＰＳ」ボタン２３１に対して行われるものであり、押下された「ＰＳ」ボタンに対応する領域に希望する情報が格納され、無線端末装置４の会議接続形態を自在に設定することができる。
【０１００】
次に、同様に、制御端末装置２が「空」であり、かつ、「オンフック」である状態のときに、「専用線」ボタン２３２を押下することによって、図７（ａ）の会議通話接続テーブル７００の専用線に対する会議接続設定が行われる。
【０１０１】
扱い者が、「専用線」ボタン２３２を押下すると、中央制御装置１６は、図３２の制御端末ボタン情報受信ルーチンによって、ステップＳ３２０１、Ｓ３２０５を経てステップＳ３２０７でボタン種別を識別し、ステップＳ３２１３の「専用線」ボタン受信処理が行われる。以下、これを図３８のフローチャートに従い説明する。
【０１０２】
「専用線」ボタン信号を受信すると、図１１の制御端末状態テーブル１１００の通話状態領域１１０３を参照し、制御端末装置２が「空」状態か判別し（Ｓ３８０１）、「空」であれば制御端末装置２が「オンフック」状態か判断する（Ｓ３８０２）。次に、判断の結果「オンフック」状態であるときは、専用線のテーブルを設定する専用線グループ選択処理を行う（Ｓ３８０３）。以下の処理は、図４３に示すＰＳグループ選択処理と同様に行われ、押下された「専用線」ボタンに対応する領域に希望する情報が格納され、専用線の会議接続形態を自在に設定することができる。
【０１０３】
次に、制御端末装置が会議通話に参加する場合の動作、及び会議通話の参加状態から抜ける場合の動作を説明する。この設定は、図３に示す制御端末装置２に設けられている「グループ１」ボタン２３３又は「グループ２」ボタン２３４を押下することによって行われる。
【０１０４】
扱い者が、例えば「グループ１」ボタン２３３を押下すると、中央制御装置１６は、図３２の制御端末ボタン情報受信ルーチンによって、ステップＳ３２０１、Ｓ３２０５を経てステップＳ３２０７でボタン種別を識別し、ステップＳ３２０９の「グループ」ボタン受信処理が行われる。以下、これを図３４のフローチャートに従い説明する。
【０１０５】
図３４において、「グループ１」ボタン信号を受信すると、図１１の制御端末状態テーブル１１００の通話状態領域１１０３を参照し、制御端末装置２が「空」状態か判別し（Ｓ３４０１）、「空」であればグループ通話切替処理を行う（Ｓ３４０２）。この処理を図４４のフローチャートによって説明する。
【０１０６】
まず、図１１の制御端末状態テーブル１１００、図１２の制御端末接続先テーブル１２００、及び図１６の会議状態テーブル１６００を参照し、制御端末装置２が会議通話参加中か判断し（Ｓ４４０１）、不参加の状態であれば、押下した会議グループ（この場合は会議グループ１）に通話参加させる。即ち、図９の会議トランク使用状態テーブル、及び図７（ｂ）の会議トランク割り付けテーブルにより接続する会議グループに対する会議トランクの空きポートを抽出し、この抽出したポートに制御端末装置２を接続するように、タイムスイッチ１０を制御する。なお、このとき、制御端末状態テーブル１１００の通話状態領域１１０３に「通話中」の情報を設定し、図１２の制御端末接続先テーブル１２００に接続先の会議トランクポート番号を設定する。
【０１０７】
以上によって、制御端末装置は、会議通話に参加することができる（ＳＴ４４１）。なお、この処理は、「グループ２」ボタン２３４を押下することによって行われる。
【０１０８】
次に、制御端末装置が会議通話参加状態から抜ける場合の動作を説明する。この設定は、同様に「グループ１」ボタン２３３又は「グループ２」ボタン２３４を押下することによって行われる。
【０１０９】
扱い者が、例えば「グループ１」ボタン２３３を押下すると、中央制御装置１６は、図３２の制御端末ボタン情報受信ルーチンによって、これを識別し、ステップＳ３２０９の「グループ」ボタン受信処理が行われる。以下、これを図３４のフローチャートに従い説明する。
【０１１０】
図３４において、「グループ１」ボタン信号を受信すると、図１１の制御端末状態テーブル１１００の通話状態領域１１０３を参照し、制御端末装置２が「空」状態か判別し（Ｓ３４０１）、「空」でなければ、図１１の制御端末状態テーブル１１００、図１２の制御端末接続先テーブル１２００、及び図１６の会議状態テーブル１６００を参照し、制御端末装置２が会議通話参加中か判断し（Ｓ３４０３）、この判断の結果、会議通話中と認識すると、グループ通話切替処理を行う（Ｓ３４０２）。この処理を図４４のフローチャートによって説明する。
【０１１１】
まず、ステップＳ４４０１によって会議通話参加中か判断するが、ここでは参加の状態であるので、次に、図１２の制御端末接続先テーブル１２００、及び図１６の会議状態テーブル１６００を参照し、押下された「グループ」ボタン（「グループ１」ボタン）が、現在、制御端末装置２が会議通話中の会議グループに対応する「グループ」ボタンか識別する（Ｓ４４０２）。この結果、現在、制御端末装置２が会議通話中の会議グループに対応する「グループ」ボタンが押下されたときには、制御端末装置２が会議通話参加状態から抜ける要求であると認識し、制御端末装置２と会議トランクとの間の通話路を切断する（ＳＴ４４２）。即ち、制御端末状態テーブル１１００の通話状態領域１１０３に「空」の情報を設定し、図１２の制御端末接続先テーブル１２００をクリアする。
【０１１２】
一方、例えば、「グループ２」ボタン２３４が押下され、ステップＳ４４０２において、押下された「グループ」ボタン（「グループ２」ボタン）が、現在、制御端末装置２が会議通話中の会議グループに対応しない「グループ」ボタンである認識した場合は、このとき会議通話をしている会議グループ（会議グループ１）との通話を切断し、押下した会議グループ（この場合は会議グループ２）に通話参加させる呼接続（通話路設定）動作を行い、かつ、この状態に応じたテーブル設定を行う（ＳＴ４４３）。
【０１１３】
以上のように、制御端末装置が会議通話に参加する場合の動作、及び会議通話の参加状態から抜ける場合の動作が行われる。
【０１１４】
次に、局線回線の呼を会議通話に参加させ、かつ、特定の無線端末装置をその局線回線の呼と通話させる場合の動作を、図４５及び図４６のシーケンス図、並びに図４７の状態遷移概要図により説明する。
【０１１５】
図４５において、まず、無線端末装置４が会議通話中の状態とする（Ｓ４５０１）。この状態において、局線回線（局線トランク）に着信があると、中央制御装置１６はこれを認識して、制御端末装置２を呼び出す。即ち、図１１の制御端末状態テーブル１１００の通話状態領域と、図１３の局線状態テーブル１３００に「着信中」の情報を設定し、かつ、制御端末装置２に呼出し音を鳴動させる要求信号を送信する。
【０１１６】
これにより、扱い者がハンドセットをオフフックし、「局線」ボタン２３５を押下すると、その着信への応答となる。これを更に説明すると、図３２の制御端末ボタン情報受信処理ルーチンのステップＳ３２０３で、図１１のフック状態領域１１０４に「オフフック」情報が設定され、次に、同様に図３２の制御端末ボタン情報受信処理ルーチンにより、ステップＳ３２０１、Ｓ３２０５を経てステップＳ３２０７でボタン種別を識別し、ステップＳ３２１０の「局線」ボタン受信処理が行われる。以下、これを図３５のフローチャートに従い説明する。
【０１１７】
まず、「局線」ボタンを受信すると、図１１の制御端末状態テーブル１１００の通話状態領域１１０３を参照し、制御端末装置２が「空」状態か判別し（Ｓ３５０１）、「空」でなければ、制御端末装置２が「着信中」状態か判断する（Ｓ３５０５）。次に、判断の結果「着信中」状態であるときは、図１１の制御端末状態テーブル１１００のフック状態領域１１０４を参照し、制御端末装置２が「オフフック」状態か判別し（Ｓ３５０６）、「オフフック」状態であれば、着信応答と認識して、着信応答処理を行う（Ｓ３５０７）。これによって、局線トランク１３と制御端末装置２との間に通話路が設定され、局線回線と制御端末装置２とが通話状態になる。
【０１１８】
また、制御端末装置２が局線回線に発信したときも、局線回線と制御端末装置２とが通話状態になる。制御端末装置２「空」状態で、扱い者がハンドセットをオフフックし、「局線」ボタン２３５を押下すると、発信動作となる。これを更に説明すると、図３２の制御端末ボタン情報受信処理ルーチンのステップＳ３２０３で、図１１のフック状態領域１１０４に「オフフック」情報が設定され、次に、同様に図３２の制御端末ボタン情報受信処理ルーチンにより、ステップＳ３２０１、Ｓ３２０５を経てステップＳ３２０７でボタン種別を識別し、ステップＳ３２１０の「局線」ボタン受信処理が行われる。以下、これを図３５のフローチャートに従い説明する。
【０１１９】
まず、「局線」ボタンを受信すると、図１１の制御端末状態テーブル１１００の通話状態領域１１０３を参照し、ステップＳ３５０１によって、制御端末装置２が「空」状態か判別するが、ここでは「空」状態であるので、次に、図１３の局線状態テーブル１３００、及び図１４の局線接続先テーブル１４００を参照して、局線回線（局線トランク１３）が、会議トランク１５に接続されており、会議グループに通話参加している状態か判断する（Ｓ３５０２）。ここでは、会議グループに参加していないので、次に、制御端末装置２が「オフフック」状態か判別する（Ｓ３５０３）、「オフフック」状態であれば、局線発信と認識して、局線発信処理を行う（Ｓ３５０４）。これによって、局線トランク１３と制御端末装置２との間に通話路を設定し、局線回線に制御端末装置２からのダイヤルを送出する。この後、相手先が応答すると、局線回線と制御端末装置２とが通話状態になる。
【０１２０】
図４５に戻って、以上のように、局線回線と制御端末装置２とが通話状態（Ｓ４５０２）において、扱い者が制御端末装置２の「グループ１」ボタン２３３又は「グループ２」ボタン２３４を押下すると、中央制御装置１６がこれを検出して（Ｓ４５０３）、局線回線を押下した「グループ」ボタンに対応する会議グループに参加接続させるように、会議トランク１５の空ポートに接続し、かつ、制御端末装置２を解放する（Ｓ４５０４）。以下、ステップＳ４５０３、Ｓ４５０４の動作を説明する。
【０１２１】
まず、「グループ１」ボタン２３３又は「グループ２」ボタン２３４の押下により、図３２の制御端末ボタン情報受信処理ルーチンにおいて、ステップＳ３２０１、Ｓ３２０５を経てステップＳ３２０７でボタン種別を識別し、ステップＳ３２０９の「グループ」ボタン受信処理が行われる。以下、これを図３４のフローチャートに従い説明する。
【０１２２】
図３４において、例えば「グループ１」ボタン信号を受信すると、図１１の制御端末状態テーブル１１００の通話状態領域１１０３を参照し、制御端末装置２が「空」状態か判別し（Ｓ３４０１）、「空」でなければ、図１１の制御端末状態テーブル１１００、図１２の制御端末接続先テーブル１２００、及び図１６の会議状態テーブル１６００を参照し、制御端末装置２が会議通話参加中か判断し（Ｓ３４０３）、この判断の結果、会議通話中でないことを認識すると、次に、図１３の局線状態テーブル１３００を参照して、局線回線が「保留」状態か判断する（Ｓ３４０４）。ここでは、「保留」状態でないため、次に、図１１の制御端末状態テーブル１１００、及び図１２の制御端末接続先テーブル１２００を参照し、制御端末装置２が「通話中」（局線と通話中）の状態か判断する（Ｓ３４０６）。ここでは、「通話中」の状態であるため、次に、制御端末状態テーブル１１００により「オフフック」状態であることを確認して（Ｓ３４０７）、局線回線を会議グループに参加させる処理を行う（Ｓ３４０８）。即ち、図７（ｂ）の会議トランク割り付けテーブル７５０、及び図１６の会議状態テーブル１６００を参照して、局線回線を、押下した「グループ１」ボタンに対応する会議グループ１に参加接続させるために、会議トランク１５の空ポートを捕捉し、捕捉したポートに局線トランク１３（局線回線）を接続し（図４７の状態ＳＴ４７１）、かつ、制御端末装置２を解放する（図４７の状態ＳＴ４７２）。なお、このとき、図１４の局線接続先テーブルに接続先の会議トランク１５のポート番号を格納し、図１１の制御端末状態テーブル１１００の制御端末状態テーブル１１００の通話状態領域１１０３に「空」を示す情報を書き込み、また、図１２の制御端末接続先テーブル２００をクリアする。
【０１２３】
図４５に戻って、このように、局線回線が会議グループの通話に参加している状態（Ｓ４５０４）においては、例えば、局線回線に係る通話者が特定の相手のみとの通話を希望し、その呼出しを会話で行うことができる。即ち、会議通話通話中のある無線端末装置４が「＃」ボタン４５を押下すると（Ｓ４５０５）、これを交換装置１の中央制御装置１６が受信する（Ｓ４５０６）。次に、その「＃」ボタン４５を押下した無線端末装置４と局線トランク１３とを接続し、その他の会議通話通話中の無線端末装置４は会議通話を継続させる（Ｓ４５０７）。以下、このステップＳ４５０６、Ｓ４５０７の動作を説明する。
【０１２４】
図３９において、無線端末ボタン情報受信処理ルーチンが起動され、ステップＳ３９０１、ステップＳ３９０５を経て、ステップＳ３９０７において、ボタン種別を認識すると、受信した「＃」ボタン信号に対応する「＃」ボタン受信処理（Ｓ３９０９）が実行される。以下、この「＃」ボタン受信処理を図４１によって説明する。
【０１２５】
まず、「＃」ボタン信号を受信すると、図１３の局線状態テーブル１３００を参照して、局線回線が「保留中」状態にあるか判別する（Ｓ４１０１）。ここでは、「保留中」状態でないため、次に、図１３の局線状態テーブル１３００、及び図１４の局線接続先テーブル１４００を参照して、局線回線が、「＃」ボタンを押下した無線端末装置４が所属している会議グループ通話に参加している状態か判別する（Ｓ４１０３）。ここでは、局線回線が会議グループに参加している状態であるため、次に、呼接続処理が実行される（Ｓ４１０２）。
【０１２６】
即ち、図８の無線端末装置接続テーブル８００を参照して、「＃」ボタンを押下した無線端末装置４の論理的な収容位置番号を認識し、当該認識した収容位置と局線トランク１３とを接続し、他の会議通話中の無線端末装置４は会議トランク１５のポートに接続した状態を保つように、タイムスイッチ１０を制御する。また、このとき、図１０の端末状態テーブルの「＃」ボタンを押下した無線端末装置４に対応する接続状態領域に「局線通話中」を示す情報を設定し、また、図１４の局線接続先テーブル１４００に「＃」ボタンを押下した無線端末装置４の論理的な収容位置番号を設定する。
【０１２７】
以上によって、「＃」ボタン４５を押下した無線端末装置４と局線トランク１３とを接続し、その他の会議通話通話中の無線端末装置４は会議通話を継続させる動作が行われる。
【０１２８】
図４６において、次に、局線回線と通話中の無線端末装置４が「保留」ボタン４６を押下すると（Ｓ４５０８）、交換装置１の中央制御装置１６は、これを受信し（Ｓ４５０９）、局線回線との通話切断の要求があったものと認識する。すると、局線回線と、該局線回線と通話していた無線端末装置４との通話路を解放し、局線回線に切断信号を送信する（Ｓ４５１０）。また、局線回線と通話していた無線端末装置４を、会議トランクの空ポートに接続し、元の会議グループに参加するように会議接続する（Ｓ４５１１）。これによって、元の会議通話中の状態に戻る（Ｓ４５１２）。以下、このステップＳ４５０９、Ｓ４５１０、及びＳ４５１１の動作を説明する。
【０１２９】
図３９において、無線端末ボタン情報受信処理ルーチンが起動され、ステップＳ３９０１、ステップＳ３９０５を経て、ステップＳ３９０７において、ボタン種別を認識すると、受信した「保留」ボタン信号に対応する「保留」ボタン受信処理（Ｓ３９０８）が実行される。以下、この「保留」ボタン受信処理を図４０によって説明する。
【０１３０】
まず、「保留」ボタン信号を受信すると、図１０の端末状態テーブル１０００を参照して、「保留」ボタン信号を送出した無線端末装置４が「会議通話中」の状態か判別する（Ｓ４００１）。ここでは、「会議通話中」の状態でないため、次に、同じく、図１０の端末状態テーブル１０００により、「保留」ボタン信号を送出した無線端末装置４が「局線通話中」の状態か判別する（Ｓ４００７）。この判断の結果、「保留」ボタン信号を送出した無線端末装置４が「局線通話中」の状態であると認識すると、「保留」ボタン信号を送出した無線端末装置４と局線トランク１３との間の通話路を解放する（Ｓ４００８）。
【０１３１】
即ち、図８の無線端末装置接続テーブル８００を参照して、「保留」ボタンを押下した無線端末装置４の論理的な収容位置番号と、局線トランク１３の収容位置番号を認識し、これらの間に設定されていた通話路を解放すると共に、局線トランク１３に対して、公衆網に切断信号を送出するように要求する。また、図１３の局線状態テーブル１３００に「空」を示す情報を設定し、図１４の局線接続先テーブル１４００をクリアする（図４７の状態ＳＴ４７３）。
【０１３２】
次に、局線回線と通話していた無線端末装置４を、会議トランクの空ポートに接続し、元の会議グループに通話参加させる（Ｓ４００９）。即ち、図２１の会議接続ルーチンのステップＳ２１０３ないしＳ２１０５の処理と同様に、図７（ａ）に示す会議通話接続テーブル７００と図７（ｂ）に示す会議トランク割り付けテーブル７５０とに基づいて、その局線回線と通話していた無線端末装置４が所属する会議グループ及び接続可能な会議トランク１５のポートを認識する。
【０１３３】
この後、図９に示す会議トランク使用状態テーブル９００に基づいて、会議トランク１５に接続可能な空ポートがあるか判別し、空ポートがある場合は、空ポートの一つを捕捉する。また、捕捉した空ポートとその無線端末装置４との間に通話路を設定するように、タイムスイッチ１０、デジタル無線トランク１２、及び無線基地局３を制御し、局線回線と通話していた無線端末装置４を会議通話参加の状態にする。更に、この後、図９に示す会議トランク使用状態テーブル９００の局線回線と通話していた無線端末装置４に対するポート番号領域９０２に、接続した会議トランク１５のポート番号を格納すると共に、図１０に示す端末状態テーブル１０００のその無線端末装置４に対する接続状態領域１００２を「会議通話中」に設定する（図４７の状態ＳＴ４７４）。
【０１３４】
以上の通り、局線回線の呼を会議通話に参加させ、かつ、特定の無線端末装置をその局線回線の呼と通話させる動作が行われる。
【０１３５】
なお、図４５のステップ４５０４の状態、即ち、局線回線が会議グループに通話参加中の状態において、扱い者が制御端末装置２の「局線」ボタン２３５を押下することにより、局線回線の呼を制御端末装置２に転送することを可能にしている。
【０１３６】
扱い者がハンドセットをオンフック状態で、「局線」ボタン２３５を押下すると、図３２の制御端末ボタン情報受信処理ルーチンにより、ステップＳ３２０１、Ｓ３２０５を経てステップＳ３２０７でボタン種別を識別し、ステップＳ３２１０の「局線」ボタン受信処理が行われる。以下、これを図３５のフローチャートに従い説明する。
【０１３７】
まず、「局線」ボタンを受信すると、図１１の制御端末状態テーブル１１００の通話状態領域１１０３を参照し、制御端末装置２が「空」状態か判別する（Ｓ３５０１）。ここでは、「空」の状態であるため、次に、図１３の局線状態テーブル１３００、及び図１４の局線接続先テーブル１４００を参照して、局線回線（局線トランク１３）が、会議トランク１５に接続されており、会議グループに通話参加している状態か判断する（Ｓ３５０２）。この判断の結果、局線回線が会議グループに通話参加している状態である場合、次に、図１１の制御端末状態テーブル１１００のフック状態領域１１０４を参照し、制御端末装置２が「オフフック」状態か判別し（Ｓ３５０８）、「オフフック」状態であれば、タイムスイッチ１０を制御して、局線トランク１３と会議トランク１５との間の通話路を解放し、局線トランク１３と制御端末装置２の間に通話路を設定する（Ｓ３５０９）。なお、このとき、図１１の制御端末状態テーブル１１００の通話状態領域１１０３に「通話中」を示す情報を設定し、図１２の制御端末接続先テーブル１２００に局線トランクの収容位置を格納する。また、局線接続先テーブル１４００に制御端末装置２の収容位置を格納して、局線トランク１３と制御端末装置２との間に通話路が設定され、局線回線と制御端末装置２とが通話状態になる。
【０１３８】
以上のように、局線回線が会議グループに通話参加中の状態において、局線回線の呼を制御端末装置２に転送することができる。
【０１３９】
次に、局線回線の呼を会議通話に参加させる場合の他の動作を、図４８のシーケンス図、及び図４９の状態遷移概要図により説明する。
【０１４０】
図４８において、図４５と同様に、無線端末装置４が会議通話中の状態（Ｓ４８０１）であり、かつ、局線回線と制御端末装置２とが通話状態（Ｓ４８０２）において、扱い者が制御端末装置２の「保留」ボタン２５を押下すると、中央制御装置１６がこれを検出し（Ｓ４８０３）、局線回線を保留する（Ｓ４８０４）。以下、この動作を説明する。
【０１４１】
扱い者が制御端末装置２の「保留」ボタン２５を押下すると、図３２の制御端末ボタン情報受信処理ルーチンにおいて、ステップＳ３２０１、Ｓ３２０５を経てステップＳ３２０７でボタン種別が識別され、ステップＳ３２１１の「保留」ボタン受信処理が行われる。以下、これを図３６のフローチャートに従い説明する。
【０１４２】
まず、「保留」ボタン信号を受信すると、図１３の局線状態テーブル１３００を参照し、局線回線が「通話中」の状態か判別し（Ｓ３６０１）、「通話中」の状態でなければ無効処理を行う（Ｓ３６０３）。一方、「通話中」の状態であれば、局線回線（局線トランク１３）をトーントランク１８に接続し、保留音を局線回線に送出すると共に、図１１の制御端末状態テーブル１１００の通話状態領域１１０３に「保留中」を示す情報を格納する。また、図１３の局線状態テーブル１３００に「保留中」を示す情報を格納すると共に、図１４の局線接続先テーブル１４００にトーントランクの収容位置を格納する（Ｓ３６０２）。これによって、局線回線が保留状態になる（図４９の状態ＳＴ４９１）。
【０１４３】
図４８に戻って、次に、扱い者が制御端末装置２の「グループ１」ボタン２３３又は「グループ２」ボタン２３４を押下すると、中央制御装置１６がこれを検出して（Ｓ４８０５）、制御端末装置２を、押下した「グループ」ボタンに対応する会議グループに参加接続するように、会議トランク１５の空ポートにその制御端末装置２を接続する（Ｓ４８０６）。以下、ステップＳ４８０５、Ｓ４８０６の動作を説明する。
【０１４４】
まず、「グループ１」ボタン２３３又は「グループ２」ボタン２３４の押下により、図３２の制御端末ボタン情報受信処理ルーチンにおいて、ステップＳ３２０１、Ｓ３２０５を経てステップＳ３２０７でボタン種別を識別し、ステップＳ３２０９の「グループ」ボタン受信処理が行われる。以下、これを図３４のフローチャートに従い説明する。
【０１４５】
図３４において、例えば「グループ１」ボタン信号を受信すると、図１１の制御端末状態テーブル１１００の通話状態領域１１０３を参照し、制御端末装置２が「空」状態か判別し（Ｓ３４０１）、「空」でなければ、図１１の制御端末状態テーブル１１００、図１２の制御端末接続先テーブル１２００、及び図１６の会議状態テーブル１６００を参照し、制御端末装置２が会議通話参加中か判断し（Ｓ３４０３）、この判断の結果、会議通話中でないことを認識すると、次に、図１３の局線状態テーブル１３００を参照して、局線回線が「保留中」の状態か判断する（Ｓ３４０４）。ここでは、局線回線が「保留中」状態であるため、次に、制御端末状態テーブル１１００により「オフフック」状態であることを確認して（Ｓ３４０５）、制御端末装置２を、押下した「グループ」ボタンに対応する会議グループに参加接続する通話切替処理（Ｓ３４０２）を行う（図４９の状態ＳＴ４９２）。なお、この通話切替処理は前記した図４４に示す処理と同等に行われる。
【０１４６】
図４８に戻って、このように、局線回線が「保留中」の状態であり、かつ、制御端末装置２が会議グループに参加接続している状態（Ｓ４８０６）においては、例えば、制御端末装置２の扱い者が、無線端末装置４の特定の相手に局線回線と通話の指示を会話で行うことができる。
【０１４７】
なお、この後、扱い者が通話参加している会議グループに対応する「グループ」ボタン（この場合には「グループ１」ボタン２３３）を再度押下するか、オフフックすることにより、その通話参加している会議グループから外れ、「空」の状態になる（図４９の状態ＳＴ４９３）。
【０１４８】
一方、図４８のステップ４８０６の状態において、会議通話通話中のある無線端末装置４が「＃」ボタン４５を押下すると（Ｓ４８０７）、これを交換装置１の中央制御装置１６が受信する（Ｓ４８０８）。次に、その「＃」ボタン４５を押下した無線端末装置４と局線トランク１３とを接続し、その他の会議通話通話中の無線端末装置４は会議通話を継続させる（Ｓ４８０９）。以下、このステップＳ４８０８、Ｓ４８０９の動作を説明する。
【０１４９】
図３９において、無線端末ボタン情報受信処理ルーチンが起動され、ステップＳ３９０１、ステップＳ３９０５を経て、ステップＳ３９０７において、ボタン種別を認識すると、受信した「＃」ボタン信号に対応する「＃」ボタン受信処理（Ｓ３９０９）が実行される。以下、この「＃」ボタン受信処理を図４１によって説明する。
【０１５０】
まず、「＃」ボタン信号を受信すると、図１３の局線状態テーブル１３００を参照して、局線回線が「保留中」状態にあるか判別する（Ｓ４１０１）。ここでは、局線回線が「保留中」の状態にあるため、次に、呼接続処理が実行される（Ｓ４１０２）。
【０１５１】
即ち、図８の無線端末装置接続テーブル８００を参照して、「＃」ボタン４５を押下した無線端末装置４の論理的な収容位置番号を認識し、当該認識した収容位置と局線トランク１３とを接続して「＃」ボタン４５を押下した無線端末装置４と局線回線とを通話状態にし、一方、他の会議通話中の無線端末装置４は会議トランク１５のポートに接続した状態を保つように、タイムスイッチ１０を制御する。また、このとき、図１０の端末状態テーブルの「＃」ボタン４５を押下した無線端末装置４に対応する接続状態領域に「局線通話中」を示す情報を設定し、また、図１４の局線接続先テーブル１４００に「＃」ボタン４５を押下した無線端末装置４の論理的な収容位置番号を設定する。なお、「＃」ボタン４５を押下した無線端末装置４と局線回線とが通話状態になったときに、制御端末装置２を自動的に解放して、より操作性を向上させることもできる。
【０１５２】
以上によって、「＃」ボタン４５を押下した無線端末装置４と局線トランク１３とを接続し、その他の会議通話通話中の無線端末装置４は会議通話を継続させる動作が行われる。
【０１５３】
以後の動作は、図４６のステップＳ４５０８ないしＳ４５１２と同様であり、局線回線と通話中の無線端末装置４が「保留」ボタン４６を押下すると、局線回線を解放し（図４９の状態ＳＴ４９４）、「保留」ボタン４６を押下した無線端末装置４は元の会議グループの通話に戻る（図４９の状態ＳＴ４９５）。
【０１５４】
以上のように、局線回線の呼が保留中の状態の場合に、その保留中の呼を無線端末装置４に転送することができる。
【０１５５】
次に、複数の無線端末装置が会議通話を行っている場合に、その通話会議中の一つの無線端末装置が局線回線に発信する場合の動作を、図５０のシーケンス図、及び図５１の状態遷移概要図により説明する。
【０１５６】
図５０において、まず、無線端末装置４が会議通話中の状態とする（Ｓ５００１）。この状態において、ある無線端末装置４が「保留」ボタン４６を押下すると（Ｓ５００２）、中央制御装置１６はこれを受信して、無線端末装置４が局線への発信要求がなされたと認識する（Ｓ５００３）。次に、図１３の局線状態テーブル１３００を参照し、局線回線が「空」状態か識別し（Ｓ５００４）、局線が塞がりの状態であれば、「保留」ボタン４６を押下した無線端末装置４にビジートーンを送出する（Ｓ５００５）。
【０１５７】
一方、局線回線が「空」状態であれば、その局線回線（局線トランク１３）を捕捉し（Ｓ５００６）、また、局線トランク１３と、その「保留」ボタン４６を押下した無線端末装置４との間に通話路を設定し（Ｓ５００７）、その無線端末装置４が局線回線からのダイヤルトーンを聴取可能な状態にする。以下、このステップＳ５００３ないしＳ５００７の動作を説明する。
【０１５８】
図３９において、無線端末ボタン情報受信処理ルーチンが起動され、ステップＳ３９０１、ステップＳ３９０５を経て、ステップＳ３９０７において、ボタン種別を認識すると、受信した「保留」ボタン信号に対応する「保留」ボタン受信処理（Ｓ３９０８）が実行される。以下、この「保留」ボタン受信処理を図４０によって説明する。
【０１５９】
まず、「保留」ボタン信号を受信すると、図１０の端末状態テーブル１０００を参照して、「保留」ボタン信号を送出した無線端末装置４が「会議通話中」の状態か判別する（Ｓ４００１）。ここでは、「会議通話中」の状態のため、局線回線に対しての発信要求であることを認識し、図１０の端末状態テーブル１０００の「保留」ボタン信号を送出した無線端末装置４に対応する接続状態領域１００２に「局線通話中」を示す情報を書き込む（Ｓ４００２）。次に、図１３の局線状態テーブル１３００を参照し、局線回線（局線トランク１３）が「空」状態か判別する（Ｓ４００３）。この結果、「空」の状態でなければ、トーントランク１８をその無線端末装置４に接続し、局線塞がりを通知するためにビジートーンを送出する（Ｓ４００４）（図５１の状態ＳＴ５１１）。一方、局線回線が「空」であれば、図１３の局線状態テーブル１３００に「通話中」を示す情報を書き込み局線回線を捕捉する（Ｓ４００５）。
【０１６０】
次に、図８の無線端末装置接続テーブル８００を参照して、「保留」ボタン４６を押下した無線端末装置４の論理的な収容位置番号を認識し、当該認識した収容位置と局線トランク１３とを接続し、他の会議通話中の無線端末装置４は会議トランク１５のポートに接続した状態を保つように、タイムスイッチ１０を制御する（Ｓ４００６）。また、局線トランク１３を制御して公衆網に発信を示す信号を送信し、その「保留」ボタン４６を押下した無線端末装置４に公衆網のダイヤルトーンを聴取させる。なお、このとき、図１４の局線接続先テーブル１４００に「保留」ボタン４６を押下した無線端末装置４の論理的な収容位置番号を設定する。
【０１６１】
図５０に戻って、次に、公衆網からのダイヤルトーンを聴取している無線端末装置４の扱い者は、ダイヤルボタン４３を押下し、ダイヤル信号を送出する（Ｓ５００８）。すると、交換装置１の中央制御装置１６はこれを受信し、かつ、局線トランクを制御して、受信したダイヤル信号を公衆網に送出し、被呼端末装置を呼び出す（Ｓ５００９）。これにより、被呼端末装置が応答すると、「保留」ボタン４６を押下した無線端末装置４と局線トランク１３とを接続し、局線通話をさせると共に、その他の会議通話通話中の無線端末装置４は会議通話を継続させる（Ｓ５０１０）。以下、このステップＳ５００９、Ｓ５０１０の動作を説明する。
【０１６２】
図３９において、無線端末ボタン情報受信処理ルーチンが起動され、ステップＳ３９０１、ステップＳ３９０５を経て、ダイヤルボタンの押下（ダイヤル信号）を認識すると、ダイヤル信号受信処理（Ｓ３９０６）が実行される。以下、このダイヤル信号受信処理を図４２によって説明する。
【０１６３】
まず、ダイヤル信号を受信すると（Ｓ４２０１）、ダイヤル信号を送出した無線端末装置４が局線トランク捕捉中か判別する（Ｓ４２０２）。ここでは、局線トランク１３を捕捉している状態にあるため、次に、局線トランク１３を制御し、受信したダイヤル信号を公衆網（局線回線）に送出する（Ｓ４２０３）。この呼び出しによって、被呼端末装置が応答すると、この被呼端末装置と「保留」ボタン４６を押下した無線端末装置４とが通話状態になる。
【０１６４】
以上によって、複数の無線端末装置が会議通話を行っている場合に、その通話会議中の一つの「保留」ボタン４６を押下して局線発信要求した無線端末装置が局線回線に発信し、その他の会議通話通話中の無線端末装置４は会議通話を継続させる動作が行われる。
【０１６５】
以後の動作は、図４６のステップＳ４５０８ないしＳ４５１２と同様であり、局線回線と通話中の無線端末装置４が「保留」ボタン４６を押下すると、局線回線を解放し（図５１の状態ＳＴ５１２）、「保留」ボタン４６を押下した無線端末装置４は元の会議グループの通話に戻る（図５１の状態ＳＴ５１３）。
【０１６６】
次に、制御端末装置のプログラマブルボタンに対応して設けられているＬＥＤの表示制御について説明する。図３１は、中央制御装置１６の処理ルーチンであって、図５の（ａ）ないし（ｅ）に示すように、制御端末装置のプログラマブルボタンに対応して設けられているＬＥＤを表示制御するＬＥＤ表示制御ルーチンである。なお、このルーチンは、図１９に示す会議通話フローチャートにおけるステップ１９０２のオンライン処理によって、周期的に起動されるものでる。
【０１６７】
図３１において、ＬＥＤ表示制御ルーチンが起動されると、まず、図１０の端末状態テーブル１０００、図１１の制御端末状態テーブル１１００、図１２の制御端末接続先テーブル１２００、図１３の局線状態テーブル１３００、図１４の局線接続先テーブル１４００、及び、図１６の会議状態テーブル１６００を参照し（Ｓ３１０１）、システムの状態、無線端末装置４の状態、及び制御端末装置２の状態を識別する（Ｓ３１０２）。この後、図１５のプログラマブルボタン機能テーブル１５００により各ボタンの機能を認識し、かつ、図５の（ａ）ないし（ｅ）に示す状態に応じた表示制御を行うように、各ボタンに対応するＬＥＤの表示様態を認識して、ＬＥＤ表示情報を制御端末装置２に送信する（Ｓ３１０３）。一方、制御端末装置２はそのＬＥＤ表示情報に伴い、各ボタンに対応するＬＥＤの表示動作を行う。
【０１６８】
これにより、制御端末装置２の扱い者は、常に、システムの状態、無線端末装置４の状態、及び制御端末装置２の状態を把握していることができる。
【０１６９】
なお、制御端末装置２に設けられている表示装置２４の表示の表示制御も、図３１に示すＬＥＤ表示制御ルーチンと同様に行われ、制御端末装置２の状態などを文字により表示している。
【０１７０】
【発明の効果】
以上のように、本発明によれば、無線端末装置が会議通話状態のとき、局線などからの着信に該無線端末装置が容易に応答できる。
【０１７１】
また、無線端末装置が会議通話状態のとき、無線端末装置が局線などへの発信を容易に行うことができる。
【０１７２】
さらに、無線端末装置が通常の通話を終了した後、即、元の会議通話状態に戻ることができる。
【図面の簡単な説明】
【図１】本発明の会議通話システムを示すシステム構成図である。
【図２】本発明の無線端末装置の外観図である。
【図３】本発明の制御端末装置の外観図である。
【図４】本発明の制御端末装置のブロック図である。
【図５】制御端末装置のＬＥＤの表示形態を示す図である。
【図６】制御端末装置の表示装置の表示形態を示す図である。
【図７】（ａ）は会議通話接続テーブルの構成を示す図である。
（ｂ）は会議トランク割り付けテーブルの構成を示す図である。
【図８】  無線端末装置接続テーブルの構成を示す図である。
【図９】  会議トランク使用状態テーブルの構成を示す図である。
【図１０】端末状態テーブルの構成を示す図である。
【図１１】制御端末状態テーブルの構成を示す図である。
【図１２】  制御端末接続先テーブルの構成を示す図である。
【図１３】局線状態テーブルの構成を示す図である。
【図１４】局線接続先テーブルの構成を示す図である。
【図１５】プログラマブルボタン機能テーブルの構成を示す図である。
【図１６】会議状態テーブルの構成を示す図である。
【図１７】本発明における会議通話システムの動作概要を示す接続シーケンス図である。
【図１８】本発明における会議通話システムの動作概要を示す接続シーケンス図である。
【図１９】中央制御装置の会議通話処理を示すフローチャートである。
【図２０】呼出しルーチンを示すフローチャートである。
【図２１】会議接続ルーチンを示すフローチャートである。
【図２２】切断処理ルーチンを示すフローチャートである。
【図２３】会議グループ設定処理ルーチンを示すフローチャートである。
【図２４】本発明の動作概要を説明する状態図である。
【図２５】本発明の動作概要を説明する状態図である。
【図２６】本発明の動作概要を説明する状態図である。
【図２７】本発明の動作概要を説明する状態図である。
【図２８】本発明の動作概要を説明する状態図である。
【図２９】本発明の動作概要を説明する状態図である。
【図３０】会議グループの統合・分離の動作概要を説明する図である。
【図３１】ＬＥＤ表示制御ルーチンを示すフローチャートである。
【図３２】制御端末装置からボタン情報を受信する動作を示す制御端末ボタン情報受信処理ルーチンを示すフローチャートである。
【図３３】「ＰＳ］ボタン受信処理ルーチンを示すフローチャートである。
【図３４】「グループ」ボタン受信処理ルーチンを示すフローチャートである。
【図３５】「局線］ボタン受信処理ルーチンを示すフローチャートである。
【図３６】「保留」ボタン受信処理ルーチンを示すフローチャートである。
【図３７】「フッキング］ボタン受信処理ルーチンを示すフローチャートである。
【図３８】「専用線」ボタン受信処理ルーチンを示すフローチャートである。
【図３９】無線端末装置からボタン情報を受信する動作を示す無線端末ボタン情報受信処理ルーチンを示すフローチャートである。
【図４０】「保留］ボタン受信処理ルーチンを示すフローチャートである。
【図４１】「＃」ボタン受信処理ルーチンを示すフローチャートである。
【図４２】ダイヤル信号受信処理ルーチンを示すフローチャートである。
【図４３】無線端末装置の会議グループ設定処理を示すＰＳグループ選択処理フローチャートである。
【図４４】制御端末装置が会議グループに参加する際の処理動作を示すフローチャートである。
【図４５】本発明における会議通話システムの動作概要を示す接続シーケンス図である。
【図４６】本発明における会議通話システムの動作概要を示す接続シーケンス図である。
【図４７】本発明における会議通話システムの動作概要を示す状態遷移図である。
【図４８】本発明における会議通話システムの動作概要を示す接続シーケンス図である。
【図４９】本発明における会議通話システムの動作概要を示す状態遷移図である。
【図５０】本発明における会議通話システムの動作概要を示す接続シーケンス図である。
【図５１】本発明における会議通話システムの動作概要を示す状態遷移図である。
【符号の説明】
１    交換装置
２    制御端末装置
３    無線基地局
４    無線端末装置
１０  タイムスイッチ
１１  ライン回路
１２  デジタル無線トランク
１３  局線トランク
１４  専用線トランク
１５  会議トランク
１６  中央制御装置
１７  主記憶装置
【図１】
0004013209.tif 000002
【図２】
0004013209.tif 000003
【図３】
0004013209.tif 000004
【図４】
0004013209.tif 000005
【図５】
0004013209.tif 000006
【図６】
0004013209.tif 000007
【図７】
0004013209.tif 000008
【図８】
0004013209.tif 000009
【図９】
0004013209.tif 000010
【図１０】
0004013209.tif 000011
【図１１】
0004013209.tif 000012
【図１２】
0004013209.tif 000013
【図１３】
0004013209.tif 000014
【図１４】
0004013209.tif 000015
【図１５】
0004013209.tif 000016
【図１６】
0004013209.tif 000017
【図１７】
0004013209.tif 000018
【図１８】
0004013209.tif 000019
【図１９】
0004013209.tif 000020
【図２０】
0004013209.tif 000021
【図２１】
0004013209.tif 000022
【図２２】
0004013209.tif 000023
【図２３】
0004013209.tif 000024
【図２４】
0004013209.tif 000025
【図２５】
0004013209.tif 000026
【図２６】
0004013209.tif 000027
【図２７】
0004013209.tif 000028
【図２８】
0004013209.tif 000029
【図２９】
0004013209.tif 000030
【図３０】
0004013209.tif 000031
【図３１】
0004013209.tif 000032
【図３２】
0004013209.tif 000033
【図３３】
0004013209.tif 000034
【図３４】
0004013209.tif 000035
【図３５】
0004013209.tif 000036
【図３６】
0004013209.tif 000037
【図３７】
0004013209.tif 000038
【図３８】
0004013209.tif 000039
【図３９】
0004013209.tif 000040
【図４０】
0004013209.tif 000041
【図４１】
0004013209.tif 000042
【図４２】
0004013209.tif 000043
【図４３】
0004013209.tif 000044
【図４４】
0004013209.tif 000045
【図４５】
0004013209.tif 000046
【図４６】
0004013209.tif 000047
【図４７】
0004013209.tif 000048
【図４８】
0004013209.tif 000049
【図４９】
0004013209.tif 000050
【図５０】
0004013209.tif 000051
【図５１】
0004013209.tif 000052